(57)【要約】【課題】  排紙処理が設定されているジョブの後に、排紙処理が設定されておらず処理量の軽いジョブが送られ、割り込み処理がなされる場合であっても、割り込まれたジョブを適切なタイミングで出力することができる画像形成装置および画像形成装置の制御方法を提供する。【解決手段】  プリンタ部２と、パンチユニット１０１およびフィニッシャ１０３と、ＣＰＵ２０３と、ＲＡＭ２０５とを備えた画像形成装置であって、ＣＰＵ２０３が、排紙処理の設定されたジョブの後に排紙処理の設定されていない後続ジョブを認識した場合に、ＲＡＭ２０５が後続ジョブのジョブ数を積算記憶し、ＣＰＵ２０３が、積算記憶されたジョブ数があらかじめ定められた値以下だった場合に後続ジョブを優先的に処理するように制御することを特徴とする画像形成装置。【選択図】        図１
2006321167.tif 000002
【特許請求の範囲】
【請求項１】
画像データに基づいて記録媒体上に可視画像を形成する画像形成手段と、
前記記録媒体にソート、ステイプル等の排紙処理を行う排紙処理手段と、
送られてきたジョブの内容を監視するジョブ監視手段と、
所定のジョブの情報を記憶するジョブ記憶手段と、
前記ジョブ記憶手段に記憶された情報に基づいて、後続ジョブの割り込みを制御するジョブ制御手段とを備えた画像形成装置であって、
前記ジョブ監視手段が、排紙処理の設定されたジョブの後に排紙処理の設定されていない後続ジョブを認識した場合に、前記ジョブ記憶手段が前記後続ジョブのジョブ数を積算記憶し、
前記ジョブ制御手段が、前記積算記憶されたジョブ数があらかじめ定められた値以下だった場合に前記後続ジョブを優先的に処理するように制御することを特徴とする画像形成装置。
【請求項２】
画像データに基づいて記録媒体上に可視画像を形成する画像形成手段と、
前記記録媒体にソート、ステイプル等の排紙処理を行う排紙処理手段と、
送られてきたジョブの内容を監視するジョブ監視手段と、
所定のジョブの情報を記憶するジョブ記憶手段と、
前記ジョブ記憶手段に記憶された情報に基づいて、後続ジョブの割り込みを制御するジョブ制御手段とを備えた画像形成装置であって、
前記ジョブ監視手段が、排紙処理の設定されたジョブの後に排紙処理の設定されていない後続ジョブを認識した場合に、前記ジョブ記憶手段が前記後続ジョブのページ数を積算記憶し、
前記ジョブ制御手段が、前記積算記憶されたページ数があらかじめ定められた値以下だった場合に前記後続ジョブを優先的に処理するように制御することを特徴とする画像形成装置。
【請求項３】
画像データに基づいて記録媒体上に可視画像を形成する画像形成手段と、
前記記録媒体にソート、ステイプル等の排紙処理を行う排紙処理手段と、
送られてきたジョブの内容を監視するジョブ監視手段と、
所定のジョブの情報を記憶するジョブ記憶手段と、
前記ジョブ記憶手段に記憶された情報に基づいて、後続ジョブの割り込みを制御するジョブ制御手段とを備えた画像形成装置であって、
前記ジョブ監視手段が、排紙処理の設定されたジョブの後に排紙処理の設定されていない後続ジョブを認識した場合に、前記ジョブ記憶手段が前記後続ジョブの処理時間を予測して、この予測された処理時間を積算記憶し、
前記ジョブ制御手段が、前記積算記憶された処理時間があらかじめ定められた値以下だった場合に前記後続ジョブを優先的に処理するように制御することを特徴とする画像形成装置。
【請求項４】
請求項３に記載の画像形成装置において、
前記ジョブ監視手段が、前記排紙処理の設定されたジョブに先行する処理待ち状態のジョブであって、排紙処理の設定されていない先行ジョブを認識した場合に、前記ジョブ記憶手段が前記先行ジョブの処理時間を予測して、この予測された処理時間を積算記憶することを特徴とする画像形成装置。
【請求項５】
画像データに基づいて記録媒体上に可視画像を形成する画像形成手段と、前記記録媒体にソート、ステイプル等の排紙処理を行う排紙処理手段と、送られてきたジョブの内容を監視するジョブ監視手段と、所定のジョブの情報を記憶するジョブ記憶手段と、前記ジョブ記憶手段に記憶された情報に基づいて、後続ジョブの割り込みを制御するジョブ制御手段とを備えた画像形成装置の制御方法であって、
排紙処理の設定されたジョブの後に排紙処理の設定されていない後続ジョブを認識した場合に、前記後続ジョブのジョブ数を積算記憶し、
前記積算記憶されたジョブ数があらかじめ定められた値以下だった場合に前記後続ジョブを優先的に処理するように制御することを特徴とする画像形成装置の制御方法。
【請求項６】
画像データに基づいて記録媒体上に可視画像を形成する画像形成手段と、前記記録媒体にソート、ステイプル等の排紙処理を行う排紙処理手段と、送られてきたジョブの内容を監視するジョブ監視手段と、所定のジョブの情報を記憶するジョブ記憶手段と、前記ジョブ記憶手段に記憶された情報に基づいて、後続ジョブの割り込みを制御するジョブ制御手段とを備えた画像形成装置の制御方法であって、
排紙処理の設定されたジョブの後に排紙処理の設定されていない後続ジョブを認識した場合に、前記後続ジョブのページ数を積算記憶し、
前記積算記憶されたページ数があらかじめ定められた値以下だった場合に前記後続ジョブを優先的に処理するように制御することを特徴とする画像形成装置の制御方法。
【請求項７】
画像データに基づいて記録媒体上に可視画像を形成する画像形成手段と、前記記録媒体にソート、ステイプル等の排紙処理を行う排紙処理手段と、送られてきたジョブの内容を監視するジョブ監視手段と、所定のジョブの情報を記憶するジョブ記憶手段と、前記ジョブ記憶手段に記憶された情報に基づいて、後続ジョブの割り込みを制御するジョブ制御手段とを備えた画像形成装置の制御方法であって、
排紙処理の設定されたジョブの後に排紙処理の設定されていない後続ジョブを認識した場合に、前記後続ジョブの処理時間を予測し、この予測された処理時間を積算記憶し、
前記積算記憶された処理時間があらかじめ定められた値以下だった場合に前記後続ジョブを優先的に処理するように制御することを特徴とする画像形成装置の制御方法。
【請求項８】
請求項７に記載の画像形成装置の制御方法において、
前記排紙処理の設定されたジョブに先行する処理待ち状態のジョブであって、排紙処理の設定されていない先行ジョブを認識した場合に、前記先行ジョブの処理時間を予測して、この予測された処理時間を積算記憶するように制御することを特徴とする画像形成装置の制御方法。
【発明の詳細な説明】
【技術分野】
【０００１】
本発明は、複写機、Ｆａｘ、プリンタ等の画像形成装置、特に排紙処理装置を有し、1つ或いは複数のデータ処理装置で生成された出力ジョブに応じて画像形成する画像形成装置および画像形成装置の制御方法に関するものである。
【背景技術】
【０００２】
従来のプリンタや複写機等の画像形成装置としては、1つ或いは複数のデータ処理装置のいずれかから送られてきた新規出力ジョブに対し、先行して実行中のジョブに付加された優先度情報と後続の新規出力ジョブに付加された優先度情報の高低に従って、先行して実行中のジョブを中断し、後続の新規出力ジョブを割り込ませるといった割り込み処理を行うものや、先行して実行中のジョブの発行元へ後続の新規出力ジョブの割り込み可否を問い合わせ、発行元の意向にしたがって割り込み処理を行うものが開示されている（例えば、特許文献１参照）。
【０００３】
また、出力処理を行っているジョブの処理済みジョブ量や未処理ジョブ量、割り込ませるジョブのジョブ量などを測定し、その結果に基づいて優先ジョブの処理の割り込みを許可するか否かを決定するものが開示されている（例えば、特許文献２参照）。
【特許文献１】特開平１１−１９１０５０号公報
【特許文献２】特許第３２０１２１５号公報
【発明の開示】
【発明が解決しようとする課題】
【０００４】
しかしながら、上記従来例では、例えばステイプルや穴開け（パンチ）等の排紙処理の設定の有無が想定されていない。したがって例えば上記従来例に基づいて優先して処理したジョブに排紙処理が設定されていた場合には、優先して処理したジョブの方がかえって出力に時間がかかり、優先付けの意味を成さなくなり得るという問題がある。
【０００５】
さらに排紙処理が設定されたジョブの後に、ページ数が数枚程度で排紙処理が設定されていないジョブなどの比較的処理量の軽い新規出力ジョブが立て続けに送られ、これらの出力ジョブが優先的に処理されると、割り込まれた先行ジョブが際限なく後回しになり、先行ジョブがいつまでも完了しない状態に陥り得るという問題がある。
【０００６】
本発明は、このような問題点に鑑みて為されたものであり、その目的とする処は、排紙処理が設定されているジョブの後に、排紙処理が設定されておらず処理量の軽いジョブが送られ、割り込み処理がなされる場合であっても、割り込まれたジョブを適切なタイミングで出力することができる画像形成装置および画像形成装置の制御方法を提供することである。
【課題を解決するための手段】
【０００７】
本発明は上述した課題を解決するためになされたものであり、その画像形成装置は以下の構成を備える。
【０００８】
画像データに基づいて記録媒体上に可視画像を形成する画像形成手段と、前記記録媒体にソート、ステイプル等の排紙処理を行う排紙処理手段と、送られてきたジョブの内容を監視するジョブ監視手段と、所定のジョブの情報を記憶するジョブ記憶手段と、前記ジョブ記憶手段に記憶された情報に基づいて、後続ジョブの割り込みを制御するジョブ制御手段とを備えた画像形成装置であって、前記ジョブ監視手段が、排紙処理の設定されたジョブの後に排紙処理の設定されていない後続ジョブを認識した場合に、前記ジョブ記憶手段が前記後続ジョブのジョブ数を積算記憶し、前記ジョブ制御手段が、前記積算記憶されたジョブ数があらかじめ定められた値以下だった場合に前記後続ジョブを優先的に処理するように制御することを特徴とする画像形成装置。
【発明の効果】
【０００９】
本発明によれば、排紙処理が設定されているジョブの後に、排紙処理が設定されておらず処理量の軽いジョブが送られ、割り込み処理がなされる場合であっても、割り込まれたジョブを適切なタイミングで出力することができる画像形成装置および画像形成装置の制御方法を提供することができる。
【発明を実施するための最良の形態】
【００１０】
以下本発明の画像形成装置および画像形成装置の制御方法の実施の形態について、図面を参照しながら説明する。
【００１１】
（第一の実施形態）
図１は本実施形態に係る画像形成装置の構成を示す正面断面図である。ここでは限定されない例として電子写真方式のカラー複写機（デジタルカラー複写機）であって、イメージスキャナ部とプリンタ部を独立、一体のどちらの構成をも取れるものを用いた。
【００１２】
１は原稿を読み取り、デジタルカラー画像信号を出力するイメージスキャナ部、２はイメージスキャナ部から出力されたデジタルカラー画像信号を記録媒体としての記録紙に記録するための動作を行う画像形成手段としてのプリンタ部、３は原稿を原稿台ガラス４上に密着させるための原稿圧板である。
【００１３】
５はＣＣＤ、６はＣＣＤ５の実装された基板、７はプリンタ部２の各種モータ等をドライブする回路を備えたプリンタ制御部である。８はＣＣＤ５で電気信号に変換されたアナログ画像信号をサンプルホールド、増幅、Ａ／Ｄ変換等の処理を行い、例えばＲＧＢ各８ビットのデジタル信号に変換し、マスキング処理、γ補正等の各種処理を行って、後に説明するレーザ走査部２２に画像信号を送る画像処理部である。９は原稿を照射する蛍光灯、１０は蛍光灯９の光を原稿に集光する反射傘、１１〜１３はミラー、１４は原稿からの反射光又は投影光をＣＣＤ５上に集光するレンズ、１５は蛍光灯９と反射傘１０とミラー１１を収容するキャリッジ（以下第一ミラー台）、１６はミラー１２・１３を収容するキャリッジ（以下第二ミラー台）である。
【００１４】
１７は蛍光灯制御回路であり、画像処理部８からの点灯制御信号により一定周期で可変デューティのＰＷＭパルス信号を発生し、蛍光灯駆動回路１８へ与える。
【００１５】
蛍光灯駆動回路１８はこのＰＷＭパルス信号を基に蛍光灯９を点灯させる。蛍光灯制御回路１７は光量センサ１９の出力を見て、この出力値がある一定値になるようにＰＷＭパルス信号のデューティを変えて光量制御を行う。なお、第一ミラー台１５は速度Ｖで、第二ミラー台１６は速度Ｖ／２で、ＣＣＤ５の電気的走査（主走査）方向に対して垂直（副走査）方向に機械的に移動することによって、原稿の全面を走査する。
【００１６】
２０は感光体ドラムであり、反時計方向（矢印ａ方向）に所定の周速度（プロセススピード）をもって駆動される。この感光体ドラム２０は帯電ローラ２１によりその周面が所定の極性・電位に帯電される。そしてその帯電面に、レーザ走査部２２から出力される、画像処理部８から入力されたデジタル画像信号に対応してパルス幅変調されたレーザ光２３により走査露光がなされる。これにより、感光体ドラム２０の周面に画像情報に対応した静電潜像が形成される。
【００１７】
２４はレーザ光反射ミラーであり、レーザ走査部２２から出力されるレーザ光２３を感光体ドラム２０に対して偏向する。２５は現像器であり、イエロートナー現像器２５Ｙ、マゼンタトナー現像器２５Ｍ、シアントナー現像器２５Ｃを有する回転切り替え式のカラー現像器と、ブラックトナー現像器２５ＢＫを有する黒色現像器から構成される。
【００１８】
２６は中間転写体ドラムである。感光体ドラム２０に接触もしくは近接させて配置してあり、感光体ドラム２０の回転と逆方向（矢印ｂ方向）に感光体ドラム２０とほぼ同一周速度で回転駆動される。
【００１９】
フルカラー画像の形成手順としては、まず回転する感光体ドラム２０に対して、目的のフルカラー画像を構成する各色の色分解像に対応する静電潜像を形成し、その静電潜像のトナー現像を順次に実行する。続いて、その各色のトナー像を中間転写体ドラム２６に順次転写して重ね合わせる。これにより中間転写体ドラム２６の表面に目的のフルカラー画像の鏡像に対応したフルカラートナー像が合成形成される。
【００２０】
この中間転写体ドラム２６に対して、給紙カセット２８（２９）から記録媒体としての記録紙Ｐが給紙ローラ３０（３１）により１枚給紙される。そして、該記録紙Ｐに対して中間転写体ドラム２６側の鏡像フルカラートナー像が転写ローラ３２により転写されて、記録紙Ｐ面にフルカラー画像が形成される。
【００２１】
転写ローラ３２は記録紙Ｐの背面からトナー像と逆極性の電荷を供給することで中間転写体ドラム２６から記録紙Ｐにフルカラートナー像を転写する。フルカラートナー像が転写された記録紙Ｐは中間転写体ドラム２６から分離されて定着器３３へ導入され、フルカラートナー像の加熱定着を受ける。
【００２２】
フルカラートナー像の定着した記録紙Ｐは、排紙搬送ローラ３６と切り替えフラッパ３７により排紙処理手段の１つとしてのパンチユニット１０１へ排出される。ここで、排紙処理としてパンチホールを開ける設定がなされていた場合は２穴〜４穴の穴あけ処理を行う。その後搬送ローラ１０２でフィニッシャ１０３へ送られる。
【００２３】
２７は記録紙Ｐに対するトナー像転写後の中間転写体ドラム２６の周面を清掃するクリーナである。クリーナ２７は、記録紙Ｐへのトナー像の転写後に中間転写体ドラム２６に残存したトナーを除去する。
【００２４】
排紙処理手段の1つとしてのフィニッシャ１０３内では搬送ローラ１０４で記録紙Ｐを搬送する。排紙処理としてステイプル処理を行う設定がなされていた場合は、Ｐ′の位置に記録紙Ｐを積載し、ステイプルユニット１０５で記録紙Ｐ端部にステイプル処理を行い処理トレイ１０６でスタックトレイ１０７上へ排出する。また、排紙処理として製本モードが設定されていた場合は、フラッパ１０８を切り替えて搬送ローラ１０９で記録紙ＰをＰ２′の位置まで搬送し、ステイプルユニット１１０で記録紙Ｐ中央にステイプル処理を行い、さらにＰ３′の位置まで搬送し、サドルスティッチ部１１１にて二つ折り処理を行いスタックトレイ１１２上（Ｐ４′）へ排出する。
【００２５】
図２は本実施形態に係るデジタルカラー複写機のシステム構成を示すブロック図である。図において、２０１、２０２は印刷ジョブを発行するホストコンピュータで、ＬＡＮへ接続されている。画像処理部８にはＣＰＵ２０３、ＲＯＭ２０４、ＲＡＭ２０５のほか、画像データを格納するＨＤＤ２０６とＬＡＮへ接続する為のＬＡＮ  Ｉ／Ｆ２０７が備えられる。ジョブ記憶手段としてのＲＡＭ２０５には、制御に伴う演算処理の作業領域として用いられるほか、ジョブ数を格納する記憶領域が含まれる。
【００２６】
図３は本実施形態に係る画像形成装置のデータ処理手順の一例を示すフローチャートである。
【００２７】
ホストコンピュータ２０１、２０２から印刷ジョブが発行されると、ステップ（１０１）において印刷ジョブ（以下ジョブとする）を受け付け、ステップ（１０２）において割り込まれたジョブ数をカウントするジョブカウンタを初期化する。次にステップ（１０３）で受け付けたジョブの印刷処理を開始する。ステップ（１０４）において、現在処理中のジョブの印刷データが最終ページかどうかチェックし、最終ページであった場合はそのジョブの処理を終了する。
【００２８】
一方、ステップ（１０４）でまだ最終ページで無いと判断された場合は、ステップ（１０５）に進み、現在のジョブにおいてソート、ステイプル、サドルスティッチ、パンチ等の排紙処理が設定されているかどうかをチェックする。現在のジョブに排紙処理が設定されていない場合はステップ（１０４）へ進み現在の印刷ジョブを続行する。排紙処理が設定されていた場合は、ステップ（１０６）にて後続に新規ジョブが発行されているかどうかをチェックする。後続の新規ジョブが発行されていない場合はステップ（１０４）へ進み、現在の印刷ジョブを続行する。
【００２９】
後続の新規ジョブが発行されていた場合は、ステップ（１０７）にてその新規ジョブにソート、ステイプル、サドルスティッチ、パンチ等の排紙処理が設定されているかどうかをチェックする。後続の新規ジョブに排紙処理が設定されていた場合は、現在処理中のジョブに対する割り込み処理は行わずステップ（１０８）に進み、新規ジョブを処理待ちリストに追加する。ステップ（１０７）にて新規ジョブに排紙処理が設定されていないと判断された場合はステップ（１０９）に進み、ジョブカウンタのカウント値ｎに１を加算（インクリメント）する。
【００３０】
次にステップ（１１０）へ進み、カウント値ｎをあらかじめ設定されたリミット値ｘと比較し、ｎ≦ｘであった場合はステップ（１１１）へ進んで処理中のジョブを中断し、後続の新規ジョブの印刷処理を実行する（割り込み処理）。
【００３１】
後続の新規ジョブの印刷処理が終了したらステップ（１１２）へ進み、割り込まれた元のジョブの印刷処理を再開する。そしてステップ（１０４）へ処理を戻す。ステップ（１１０）にてｎ＞ｘであった場合は、割り込みを許可するジョブ数の制限を越えたと判断し、割り込み処理を行わずにステップ（１０８）へ処理を戻す。
【００３２】
図６は、印刷処理および排紙処理と割り込み処理とを時系列的に表した図である。例えばＬＡＮを介してホストコンピュータ２０１より「シート３枚ステイプル１箇所綴じ処理１部」（＝ジョブ１）のジョブが発行され、その後、ジョブ１の印刷処理が行われているタイミングで、別のユーザーがホストコンピュータ２０２より「シート１枚排紙処理なし１部」（＝ジョブ２）のジョブを発行したとする。この入力された上記２つのジョブの関係は、図６上段のように時系列的に表現される。
【００３３】
ホストコンピュータ２０１、２０２より入力された上記２つのジョブは、一旦ＨＤＤ２０６に蓄えられる。次にジョブ監視手段としてのＣＰＵ２０３が、ＨＤＤ２０６に蓄えられたジョブ１の排紙処理の設定状況を入手し、続いてジョブ２の排紙処理の設定状況を入手する。その結果、ジョブ２が排紙処理未設定だった場合、ジョブ制御手段としてのＣＰＵ２０３がジョブ数をリミット値と比較し、リミット値以下のときはジョブ１と２の実行順序を変更する（図６下段）。
【００３４】
ジョブ２の実行（図中６、７）終了後、ジョブ１の残りの印刷処理が実行される（図中０）。続いて排紙処理が行われ、まずステイプルユニット１０５が初期の待機位置からシート束に対する綴じ位置へ移動し（図中１）、搬送ローラ１０４から順次排出されたシート３枚を受け入れ、処理トレイ１０６に積載させる（図中２）。そして不図示の整合板による整合（図中３）の後、ステイプルユニット１０５により綴じ処理（図中４）を行い、処理トレイ１０６中の排出ローラによってスタックトレイ１０７へ排出（図中５）させる。
【００３５】
（実施形態２）
実施形態１では割り込み処理の実施を、割り込みを許可するジョブ数に基づいて制限したが、実施形態２では割り込み処理の実施を、割り込みを許可するジョブの印刷枚数で制限した。それ以外は実施形態１と同一の構成をとるため説明は省略する。
【００３６】
図４は、本実施形態に係る画像形成装置のデータ処理手順の一例を示すフローチャートである。
【００３７】
実施形態１との違いを説明すると、ステップ（２０２）で割り込ませたジョブの印刷枚数をカウントする枚数カウンタを初期化する。そしてステップ（２０９）でホストコンピュータ２０１、２０２から送られる後続する新規ジョブの印刷枚数情報を入手し、ステップ（２１０）で枚数カウンタｍへ加算していく。次にステップ（２１１）で枚数カウンタｍとあらかじめ設定されたリミット値ｙと比較し、ｍ≦ｙであった場合はステップ（２１２）へ進んで処理中のジョブを中断し、後続の新規ジョブの印刷処理を実行する（割り込み処理）。
【００３８】
後続の新規ジョブの印刷処理が終了した後、ステップ（２１３）へ進み、割り込まれた元のジョブの印刷処理を再開する。そしてステップ（２０４）へ処理を戻す。ステップ（２１１）にてｍ＞ｙであった場合は、割り込みを許可するジョブ数の制限を越えたと判断し、割り込み処理を行わずにステップ（２０８）へ処理を戻す。
【００３９】
本実施形態においては、後続ジョブの印刷枚数情報がＲＡＭ２０５に格納される。
【００４０】
（実施形態３）
実施形態３では、割り込み処理の実施を、割り込みを許可するジョブの予測された処理時間で制限した。それ以外は実施形態１および２と同一の構成をとるため説明は省略する。
【００４１】
図５は、本実施形態に係る画像形成装置のデータ処理手順の一例を示すフローチャートである。
【００４２】
実施形態１および２違いを説明すると、ステップ（３０２）で割り込ませたジョブの処理時間をカウントするタイマーを初期化する。そしてステップ（３０７）で後続の新規ジョブに排紙処理が設定されているかどうか判断し、設定されていなければステップ（３０８）で処理時間を予測し、ステップ（３０９）で予測された処理時間をタイマーｔに加算する。
【００４３】
本実施形態においては、さらに先行する処理待ちジョブの有無を考慮してもよい。
【００４４】
すなわち、ステップ（３１０）にて現在のジョブより先行する処理待ちのジョブがあるかどうかを判定する。先行する処理待ちのジョブがある場合は、ステップ（３１１）で先行する処理待ちのジョブに排紙処理が設定されているかどうか判断し、排紙処理が設定されていなければ、ステップ（３１２）で先行する処理待ちのジョブの処理時間を予測し、ステップ（３１３）で予測された処理時間をタイマーｔに加算する。ステップ（３１４）で合計の処理時間ｔとあらかじめ設定された時間ｚを比較し、ｔ≦ｚであった場合はステップ（３１６）にて後続の新規ジョブの割り込みを許可し、その後ステップ（３１７）に進み、割り込まれた元のジョブの処理を再開する。
【００４５】
本実施形態においては、ＲＡＭ２０５がジョブの処理時間を予測し、格納する。
【００４６】
上記実施形態１ないし３によれば、排紙処理が設定されているジョブの後に、排紙処理が設定されておらず処理量の軽いジョブが立て続けに送られてきた場合であっても、割り込みを許可するジョブのジョブ数やページ数あるいはジョブ処理時間を限定することで、割り込まれたジョブを適切なタイミングで出力することができる。
【００４７】
上記実施形態１ないし３には、電子写真方式のカラー複写機に本発明を適用した例を示したが、特にこれに限定されず、Ｆａｘあるいはプリンタ等の他の画像形成装置であってもよい。
【図面の簡単な説明】
【００４８】
【図１】第一ないし第三の実施形態に係る画像形成装置の構成を示す正面断面図
【図２】第一ないし第三の実施形態に係る画像形成装置のシステム構成を示すブロック図
【図３】第一の実施形態に係る画像形成装置のデータ処理手順を示すフローチャート
【図４】第二の実施形態に係る画像形成装置のデータ処理手順を示すフローチャート
【図５】第三の実施形態に係る画像形成装置のデータ処理手順を示すフローチャート
【図６】第一の実施形態に係る画像形成装置における印刷処理および排紙処理と割り込み処理との関係を時系列的に示した図
【符号の説明】
【００４９】
１  イメージスキャナ部
２  プリンタ部（画像形成手段に対応）
７  プリンタ制御部
８  画像処理部
１０１  パンチユニット（排紙処理手段に対応）
１０３  フィニッシャ（排紙処理手段に対応）
２０３  ＣＰＵ（ジョブ監視手段、ジョブ制御手段に対応）
２０５  ＲＡＭ（ジョブ記憶手段に対応）
【図１】
2006321167.tif 000003
【図２】
2006321167.tif 000004
【図３】
2006321167.tif 000005
【図４】
2006321167.tif 000006
【図５】
2006321167.tif 000007
【図６】
2006321167.tif 000008